(57)【要約】【目的】端末装置の再生に適した音声付き動画データを迅速に生成する。【構成】画像抽出装置１および音声抽出装置11によって，音声付き動画データから音声を除いた動画を表わす画像データと音声データが抽出される。抽出された画像データと音声データとが，画像変換装置３および音声変換装置13において，端末装置の機種ごとの再生および出力に適する複数種類の形式をもつ画像データおよび音声データとに変換される。変換された画像データおよび音声データが画像データベース４および音声データベース４に格納される。音声付き動画データが送信されるときには，送信対象の端末装置に適した画像データおよび音声データが読み出されて音声付き動画データが生成される。生成さたれ音声付き動画データが送信対象の端末装置に送信される。【選択図】図１
2008228121.tif 000002
【特許請求の範囲】
【請求項１】
音声が付加されている動画を表わす音声付動画データから音声を表わす音声データを抽出する音声データ抽出手段，
上記音声付動画データから画像を表わす画像データを抽出する画像データ抽出手段，
上記音声データ抽出手段によって抽出された音声データを，上記音声付動画データの送信対象となる複数種類の送信対象端末装置における音声出力に適した複数種類の形式の音声データに変換する音声データ変換手段，
上記画像データ抽出手段によって抽出された画像データを，上記複数種類の送信対象端末装置における動画の再生に適した複数種類の形式の画像データに変換する画像データ変換手段，
上記音声データ変換手段によって上記複数種類の形式の音声データに変換された複数の音声データを，上記複数種類の送信対象端末装置のうち対応する送信対象端末装置を特定するデータに関連づけて記憶するように音声データ記憶装置を制御する音声データ記憶制御手段，および
上記画像データ変換手段によって上記複数種類の形式の画像データに変換された複数の画像データを，上記複数種類の送信対象端末装置のうち対応する送信対象端末装置を特定するデータに関連づけて記憶するように画像データ記憶装置を制御する画像データ記憶制御手段，
を備えた動画変換装置。
【請求項２】
上記音声付動画データには，文字列を表わすテキスト・データが付加されており，
上記音声付動画データからテキストを表わすテキスト・データを抽出するテキスト・データ抽出手段，
上記テキスト・データ抽出手段によって抽出されたテキスト・データを，上記複数種類の送信対象端末装置における上記文字列の表示に適した複数種類の形式のテキスト・データに変換するテキスト・データ変換手段，および
上記テキスト・データ変換手段によって上記複数種類の形式のテキスト・データに変換された複数のテキスト・データを，上記複数種類の送信対象端末装置のうち対応する送信対象端末装置を特定するデータに関連づけて記憶するようにテキスト・データ記憶装置を制御するテキスト・データ記憶制御手段，
をさらに備えた請求項１に記載の動画変換装置。
【請求項３】
送信要求端末装置から送信され，音声が付加されている動画を表わす音声付動画データの送信要求を受信する受信手段，
上記音声付動画データの送信対象となる複数種類の送信対象端末装置における音声出力に適した複数種類の形式に対応して記憶されている複数の音声データが，上記複数の送信対象端末装置のうち対応する送信対象端末装置ごとに記憶されている音声データ記憶装置から上記送信要求端末装置における音声出力に適した音声データを読み取る音声データ読取手段，
上記送信対象端末装置における動画の再生に適し，音声が除かれている動画を表す画像データであって，複数種類の形式に対応して変換されている複数の画像データが，上記複数の送信対象端末装置のうち対応する送信対象端末装置ごとに記憶されている画像データ記憶装置から上記送信要求端末装置における動画の再生に適した画像データを読み取る画像データ読取手段，
上記音声データ読取手段によって読み取られた音声データと上記画像データ読取手段によって読み取られた画像データとから音声付動画データを生成する生成手段，および
上記生成手段によって生成された音声付動画データを上記送信要求端末装置に送信する送信手段，
を備えた動画送信装置。
【請求項４】
上記送信対象端末装置における文字列の表示に適した複数種類の形式に対応して変換されている複数のテキスト・データが，上記複数の送信対象端末装置のうち対応する送信対象端末装置ごとに記憶されているテキスト・データ記憶装置から上記送信要求端末装置における文字列の表示に適したテキスト・データを読み取るテキスト・データ読取手段をさらに備え，
上記生成手段は，上記音声データ読取手段によって読み取られた音声データと上記画像データ読取手段によって読み取られた画像データと上記テキスト・データ読取手段によって読み取られたテキスト・データとからテキスト・データによって表される文字列が表示される音声付動画データを生成するものである，
請求項１に記載の動画送信装置。
【請求項５】
上記送信要求端末装置において受信できるデータ量の音声付動画データが生成されるように，上記音声データ読取手段によって読み取られた音声データと上記画像データ読取手段によって読み取られた画像データとをそれぞれ分割する分割手段をさらに備え，
上記生成手段は，上記分割手段によって分割された画像データと分割された画像データに対応する分割音声データとから分割された音声付動画データを生成するものであり，
上記送信手段は，上記生成手段によって生成され，分割された音声付動画データを上記送信要求端末装置に送信するものである，
請求項４に記載の動画送信装置。
【請求項６】
音声データ抽出手段が，音声が付加されている動画を表わす音声付動画データから音声を表わす音声データを抽出し，
画像データ抽出手段が，上記音声付動画データから画像を表わす画像データを抽出し，
音声データ変換手段が，上記音声データ抽出手段によって抽出された音声データを，上記音声付動画データの送信対象となる複数種類の送信対象端末装置における音声出力に適した複数種類の形式の音声データに変換し，
画像データ変換手段が，上記画像データ抽出手段によって抽出された画像データを，上記複数種類の送信対象端末装置における動画の再生に適した複数種類の形式の画像データに変換し，
音声データ記憶制御手段が，上記音声データ変換手段によって上記複数種類の形式の音声データに変換された複数の音声データを，上記複数種類の送信対象端末装置のうち対応する送信対象端末装置を特定するデータに関連づけて記憶するように音声データ記憶装置を制御し，
画像データ記憶制御手段が，上記画像データ変換手段によって上記複数種類の形式の画像データに変換された複数の画像データを，上記複数種類の送信対象端末装置のうち対応する送信対象端末装置を特定するデータに関連づけて記憶するように画像データ記憶装置を制御する，
動画変換装置の動作制御方法。
【請求項７】
受信手段が，送信要求端末装置から送信され，音声が付加されている動画を表わす音声付動画データの送信要求を受信し，
音声データ読取手段が，上記音声付動画データの送信対象となる複数種類の送信対象端末装置における音声出力に適した複数種類の形式に対応して記憶されている複数の音声データが，上記複数の送信対象端末装置のうち対応する送信対象端末装置ごとに記憶されている音声データ記憶装置から上記送信要求端末装置における音声出力に適した音声データを読み取り，
画像データ読取手段が，上記送信対象端末装置における動画の再生に適し，音声が除かれている動画を表す画像データであって，複数種類の形式に対応して変換されている複数の画像データが，上記複数の送信対象端末装置のうち対応する送信対象端末装置ごとに記憶されている画像データ記憶装置から上記送信要求端末装置における動画の再生に適した画像データを読み取り，
生成手段が，上記音声データ読取手段によって読み取られた音声データと上記画像データ読取手段によって読み取られた画像データとから音声付動画データを生成し，
送信手段が，上記生成手段によって生成された音声付動画データを上記送信要求端末装置に送信する，
動画送信装置の動作制御方法。
【発明の詳細な説明】
【技術分野】
【０００１】
この発明は，動画変換装置および動画送信装置ならびにそれらの動作制御方法に関する。
【背景技術】
【０００２】
携帯電話などの端末装置に音声付動画データを送信することができるようになってきている。携帯電話が再生できる音声や画像の形式は携帯電話の機種に依存する。さまざま機種の携帯電話があることから携帯電話の機種に応じて音声付動画データを変換する必要がある。このために，送信先の装置が処理可能な形式に変換するものがある（特許文献１，２）。しかしながら，迅速に形式変換することは難しいため，音声付動画を迅速に再生することはできないことが多い。
【特許文献１】特開2006-11757号公報
【特許文献２】特開2002-152301号公報
【０００３】
また，送信先の装置に対応した多数の形式のデータをあらかじめ生成しておき要求に応じて送信するものもある（特許文献３）。しかしながら，実に多くの形式のデータを生成しておかなければならない。
【特許文献３】特開2001-290694号公報
【０００４】
さらに，あらかじめ決められた形式のデータに送信側で変換して送信し，受信側でそのあらかじめ決められた形式のデータを所望の形式のデータに変換するものもある（特許文献４）。しかしながら，送受信側の両方においてあらかじめ決められた形式でのデータの送受信を行うことを決めておく必要があり，比較的面倒である。
【発明の開示】
【０００５】
この発明は，比較的簡単に受信側の装置が迅速に音声付の動画を再生できるようにすることを目的とする。
【０００６】
第１の発明による動画変換装置は，音声が付加されている動画を表わす音声付動画データから音声を表わす音声データを抽出する音声データ抽出手段，上記音声付動画データから画像を表わす画像データを抽出する画像データ抽出手段，上記音声データ抽出手段によって抽出された音声データを，上記音声付動画データの送信対象となる複数種類の送信対象端末装置における音声出力に適した複数種類の形式の音声データに変換する音声データ変換手段，上記画像データ抽出手段によって抽出された画像データを，上記複数種類の送信対象端末装置における動画の再生に適した複数種類の形式の画像データに変換する画像データ変換手段，上記音声データ変換手段によって上記複数種類の形式の音声データに変換された複数の音声データを，上記複数種類の送信対象端末装置のうち対応する送信対象端末装置を特定するデータに関連づけて記憶するように音声データ記憶装置を制御する音声データ記憶制御手段，および上記画像データ変換手段によって上記複数種類の形式の画像データに変換された複数の画像データを，上記複数種類の送信対象端末装置のうち対応する送信対象端末装置を特定するデータに関連づけて記憶するように画像データ記憶装置を制御する画像データ記憶制御手段を備えていることを特徴とする。
【０００７】
第１の発明は，上記動画変換装置に適した動作制御方法も提供している。すなわち，この方法は，音声データ抽出手段が，音声が付加されている動画を表わす音声付動画データから音声を表わす音声データを抽出し，画像データ抽出手段が，上記音声付動画データから画像を表わす画像データを抽出し，音声データ変換手段が，上記音声データ抽出手段によって抽出された音声データを，上記音声付動画データの送信対象となる複数種類の送信対象端末装置における音声出力に適した複数種類の形式の音声データに変換し，画像データ変換手段が，上記画像データ抽出手段によって抽出された画像データを，上記複数種類の送信対象端末装置における動画の再生に適した複数種類の形式の画像データに変換し，音声データ記憶制御手段が，上記音声データ変換手段によって上記複数種類の形式の音声データに変換された複数の音声データを，上記複数種類の送信対象端末装置のうち対応する送信対象端末装置を特定するデータに関連づけて記憶するように音声データ記憶装置を制御し，画像データ記憶制御手段が，上記画像データ変換手段によって上記複数種類の形式の画像データに変換された複数の画像データを，上記複数種類の送信対象端末装置のうち対応する送信対象端末装置を特定するデータに関連づけて記憶するように画像データ記憶装置を制御するものである。
【０００８】
第１の発明によると，音声付動画データから音声を表す音声データと画像を表す画像データとがそれぞれ抽出される。抽出された音声データは，送信対象となる複数種類の送信対象端末装置における音声出力に適した形式に変換される。抽出された画像データは，複数種類の送信対象端末装置における動画再生に適した形式に変換される。変換された音声データおよび画像データは，それぞれ複数種類の送信対象端末装置のうち対応する送信対象端末装置を特定するデータに関連づけられて音声データ記憶装置および画像データ記憶装置に記憶される。
【０００９】
音声付き動画データの送信要求が送信要求端末装置から動画変換装置に送信されると，その送信要求端末装置における音声出力に適した音声データが音声データ記憶装置から読み出され，かつその送信要求端末装置における動画の再生に適した画像データが画像データ記憶装置から読み出される。読み出された音声データと画像データとから音声付き動画データが生成される。生成された音声付き動画データが送信要求端末装置に送信される。  
【００１０】
音声出力に適した音声データと動画再生に適した画像データとからなる音声付き動画データを，送信対象端末装置に対応してあらかじめ生成すると，音声出力に適した音声データの種類をＮ個，動画再生に適した画像データの種類をＭ個とすると，Ｎ個×Ｍ個の音声付き動画データが必要となる。しかしながら，第１の発明によると，音声データと画像データとを組み合わせて音声付き動画データが生成されるので，送信対象端末装置に適した音声付き動画データは，Ｎ個の音声データとＭ個の画像データとの合計Ｎ個＋Ｍ個のデータがあれば済む。音声データと画像データとを記憶するために必要なデータ量が比較的少なく済む。あらかじめ生成されている音声データと画像データとを組み合わせて音声付き動画データが生成されるので，比較的迅速に生成できる。
【００１１】
上記音声付動画データには，文字列を表わすテキスト・データが付加されている場合には，上記音声付動画データからテキストを表わすテキスト・データを抽出するテキスト・データ抽出手段，上記テキスト・データ抽出手段によって抽出されたテキスト・データを，上記複数種類の送信対象端末装置における上記文字列の表示に適した複数種類の形式のテキスト・データに変換するテキスト・データ変換手段，および上記テキスト・データ変換手段によって上記複数種類の形式のテキスト・データに変換された複数のテキスト・データを，上記複数種類の送信対象端末装置のうち対応する送信対象端末装置を特定するデータに関連づけて記憶するようにテキスト・データ記憶装置を制御するテキスト・データ記憶制御手段をさらに備えることが好ましい。
【００１２】
第２の発明は，上記第１の発明において記録された音声データと画像データとから送信要求端末装置における再生に適した音声付き動画データを生成して送信要求端末装置に送信するものである。第２の発明による動画送信装置は，送信要求端末装置から送信され，音声が付加されている動画を表わす音声付動画データの送信要求を受信する受信手段，  上記音声付動画データの送信対象となる複数種類の送信対象端末装置における音声出力に適した複数種類の形式に対応して記憶されている複数の音声データが，上記複数の送信対象端末装置のうち対応する送信対象端末装置ごとに記憶されている音声データ記憶装置から上記送信要求端末装置における音声出力に適した音声データを読み取る音声データ読取手段，上記送信対象端末装置における動画の再生に適し，音声が除かれている動画を表す画像データであって，複数種類の形式に対応して変換されている複数の画像データが，上記複数の送信対象端末装置のうち対応する送信対象端末装置ごとに記憶されている画像データ記憶装置から上記送信要求端末装置における動画の再生に適した画像データを読み取る画像データ読取手段，上記音声データ読取手段によって読み取られた音声データと上記画像データ読取手段によって読み取られた画像データとから音声付動画データを生成する生成手段，および上記生成手段によって生成された音声付動画データを上記送信要求端末装置に送信する送信手段を備えていることを特徴とする。
【００１３】
第２の発明は，上記動画送信装置に適した動作制御方法も提供している。すなわち，この方法は，受信手段が，送信要求端末装置から送信され，音声が付加されている動画を表わす音声付動画データの送信要求を受信し，音声データ読取手段が，上記音声付動画データの送信対象となる複数種類の送信対象端末装置における音声出力に適した複数種類の形式に対応して記憶されている複数の音声データが，上記複数の送信対象端末装置のうち対応する送信対象端末装置ごとに記憶されている音声データ記憶装置から上記送信要求端末装置における音声出力に適した音声データを読み取り，画像データ読取手段が，上記送信対象端末装置における動画の再生に適し，音声が除かれている動画を表す画像データであって，複数種類の形式に対応して変換されている複数の画像データが，上記複数の送信対象端末装置のうち対応する送信対象端末装置ごとに記憶されている画像データ記憶装置から上記送信要求端末装置における動画の再生に適した画像データを読み取り，生成手段が，上記音声データ読取手段によって読み取られた音声データと上記画像データ読取手段によって読み取られた画像データとから音声付動画データを生成し，送信手段が，上記生成手段によって生成された音声付動画データを上記送信要求端末装置に送信するものである。
【００１４】
上述のように，送信要求端末装置における音声付き動画の再生に適した音声付き動画データを送信要求端末装置に送信することができるようになる。
【００１５】
上記送信対象端末装置における文字列の表示に適した複数種類の形式に対応して変換されている複数のテキスト・データが，上記複数の送信対象端末装置のうち対応する送信対象端末装置ごとに記憶されているテキスト・データ記憶装置から上記送信要求端末装置における文字列の表示に適したテキスト・データを読み取るテキスト・データ読取手段をさらに備えてもよい。この場合，上記生成手段は，上記音声データ読取手段によって読み取られた音声データと上記画像データ読取手段によって読み取られた画像データと上記テキスト・データ読取手段によって読み取られたテキスト・データとからテキスト・データによって表される文字列が表示される音声付動画データを生成するものとなろう。
【００１６】
上記送信要求端末装置において受信できるデータ量の音声付動画データが生成されるように，上記音声データ読取手段によって読み取られた音声データと上記画像データ読取手段によって読み取られた画像データとをそれぞれ分割する分割手段をさらに備えてもよい。この場合，上記生成手段は，上記分割手段によって分割された画像データと分割された画像データに対応する分割音声データとから分割された音声付動画データを生成するものとなり，上記送信手段は，上記生成手段によって生成され，分割された音声付動画データを上記送信要求端末装置に送信するものとなろう。
【実施例】
【００１７】
図１は，この発明の実施例を示すもので，動画変換装置の電気的構成を示すブロック図である。
【００１８】
この実施例による動画変換装置は，音声付き動画データから，音声を表わす音声データと音声が取り除かれた動画を表す画像データとをそれぞれ抽出して，音声付き動画データの送信対象である送信対象端末装置における音声出力および動画再生にそれぞれ適した音声データおよび画像データに変換するものである。
【００１９】
動画変換装置に入力した音声付き動画データは，画像抽出装置１および音声抽出装置11に入力する。音声付き動画データは，画像抽出装置１において音声データが取り除かれた動画を表す画像データが抽出されて第１の中間形式変換装置２に入力する。また音声抽出装置11において，音声付き動画データから音声データが抽出されて第２の中間形式変換装置12に入力する。
【００２０】
音声付き動画データが圧縮されている場合，第１の中間形式変換装置２において，伸長されて動画を構成する多数駒の被写体像のそれぞれが一駒の被写体像を表わす画像データとされる。同様に，第２の中間形式変換装置12において，圧縮されている音声データがＰＣＭ（Pulse Code Modulation）にもとづく音声データに変換される。第１の中間形式変換装置２から出力された画像データは画像変換装置３に入力し，第２の中間形式変換装置12から出力された音声データは音声変換装置13に入力する。
【００２１】
画像変換装置７および音声変換装置13には，機種情報データベース５から機種情報が与えられている。機種情報データベース５に記憶されている機種情報は，送信対象端末装置における動画の再生に適した画像形式を示す情報および送信対象端末装置における音声出力に適した音声形式を示す情報である。たとえば，音声符号化方式，動画符号化方式，音声ビット・レート（32kbps，64bpsなど），動画ビット・レート（64bps,128bps,192bpsなど），動画のフレーム・レート，音声サンプリング周波数，表示解像度，音声チャネル数（モノラルかステレオか），システム符号化（音声が付加されていない動画データと音声データとの多重化）についての情報が機種情報として機種情報データベース５に送信対象端末装置の機種ごとに格納されている。
【００２２】
機種情報データベース５に格納されている機種情報が上述のように，画像変換装置３に与えられ，与えられる機種情報にもとづいて，送信対象となっている多数の端末装置におけるそれぞれの動画再生に適した多数の形式をもつ画像データが画像変換装置３において生成される。同様に，機種情報が音声変換装置13に与えられ，与えられる機種情報にもとづいて，送信対象となっている多数の端末装置におけるそれぞれの音声出力に適した多数の形式をもつ音声データが音声変換装置13において生成される。生成された多数の形式をもつ画像データが画像データベース４に格納され，生成された多数の形式をもつ音声データが音声で14に格納される。
【００２３】
画像変換装置３および音声変換装置13からは，生成された多数の形式をもつ画像データおよび音声データがどの機種の送信対象端末装置において利用されるかを示す選択情報も出力される。この選択情報は，選択情報データベース６に与えられて送信対象端末装置ごとに記録される。
【００２４】
図２は，選択情報データベース６に格納されている選択情報の一例である。
【００２５】
選択情報データベース６には，送信対象端末装置ごとに，それぞれの送信対象端末装置が利用する画像データおよび音声データが格納されている。たとえば，「送信対象端末装置１」が利用すべきデータは，「画像データ１」および「音声データ１」となる。「送信対象端末装置１から音声付き動画データの送信要求があった場合には，が選択情報データベース６から「画像データ１」および「音声データ１」を利用することがわかり，画像データベース４に格納されている多数の形式の画像データの中から「画像データ１」が読み出され，音声データベース14に格納されている多数形式の音声データの中から「音声データ１」が読み出される。読み出された「画像データ１」は，送信要求のあった端末装置における動画再生に適したものであり，読み出された「音声データ１」は，その端末装置における音声出力に適したものである。後述するように，読み出された「画像データ１」と「音声データ１」とから音声付き動画データが生成されて送信要求のあった端末装置に送信される。
【００２６】
このように，この発明の実施例においては，送信対象端末装置における音声付き動画データの再生に適した音声付き動画データを，音声データと音声データが除かれた動画を表す画像データとに分けて格納しておき，音声付き動画データを送信するときに音声データと画像データとから音声付き動画データを生成するから，送信対象端末装置の機種ごとにあらかじめ音声付き動画データを生成して格納しておく場合に比べてデータを格納するデータベースの容量が少なくて済む。たとえば，画像データの形式が64kbps，128kbps，192kbpsのビット・レートの３種類，音声データについて32kbps，64kbpsのビット・レートをもつモノラルとステレオのものを作ると音声データの形式が４種類となり，これらのすべての組み合わせに対応した音声付き動画データをあらかじめ生成しておくとすると，３種類×４種類=12種類の音声付き動画データが必要となる。この実施例においては，３種類＋４種類=７種類のデータ（音声データと画像データ）を格納すれば済む。あらかじめ記憶するデータ量がおよそ半分（７／12）となる。
【００２７】
図３は，上述のようにして格納された画像データと音声データとから音声付き動画データを生成して送信要求のあった端末装置(送信要求携帯電話)に音声付き動画データを送信する動画送信装置の電気的構成を示すブロック図である。
【００２８】
図３において，図１に示すものと同一物については同一符号が付されている。図３に示す動画送信装置は，図１に示す動画変換装置と別の装置とされているが，図１に示す動画変換装置と図３に示す動画送信装置と合わせた一つの装置を構成してもよい。
【００２９】
上述したように，機種情報データベース５には機種情報が格納され，選択情報データベース６には選択情報が格納され，画像データベース４には音声が取り除かれた動画を表す多数の形式の画像データが格納され，音声データベース14は多数の形式の音声データが格納されている。
【００３０】
所望の音声付き動画データの送信要求が送信要求携帯電話40から動画送信装置の通信装置20において受信される。すると送信要求がファイル形式で機種特定装置21に入力する。送信要求を示すファイルのヘッダには送信要求携帯電話40の機種情報を含むUserAgent情報が含まれている。機種特定装置21において，このUserAgent情報から送信要求携帯電話40の機種が特定される。特定された機種を表すデータは，データ選択装置22に与えられる。
【００３１】
データ選択装置22により，特定された機種に適した画像データおよび音声データの形式が選択情報データベース６から読み取られる。読み取られた形式をもつ画像データが画像データベース４から読み取られるように，画像読取装置31がデータ選択装置22によって制御される。同様に，選択情報データベース６から読み取られた形式をもつ音声データが音声で14から読み取られるように，音声読取装置32がデータ選択装置22によって制御される。
【００３２】
画像読取装置31によって読み取られた画像データおよび音声読取装置32によって読み取られた音声データが動画生成装置33に与えられる。機種特定装置21によって特定された機種に対応したシステム符号化(多重化方式)を示す情報も機種情報データベース５から読み取られる。読み取られたシステム符号化を示す情報も動画生成装置33に与えられる。与えられたシステム符号化を示す情報にもとづく符号化方式で，画像データと音声データとが動画生成装置33において符号化される。符号化により生成された音声付き動画データが通信装置20によって,送信要求携帯電話40に送信される。送信要求携帯電話40において受信される音声付き動画データは,送信要求携帯電話40における音声出力方式に適応したものであり，かつ動画再生に適応したものとなる。システム符号化は画像変換，音声変換に比べて一般的に処理量が少ないのでリアルタイム処理を実現できる。
【００３３】
図４および図５は，他の実施例を示すものである。この実施例は，音声付き動画データによって表わされる動画に文字列を表示するテキスト・データが付加されている場合のものである。
【００３４】
図４は，図１に対応するもので動画変換装置の電気的構成を示すブロック図である。図４において図１に示すものと同一物については同一符号を付して説明を省略する。
【００３５】
動画変換装置には，テキスト抽出装置51が含まれている。このテキスト抽出装置51にテキスト・データが付加されている音声付き動画データが入力することによりテキスト・データが抽出される。テキスト・データは，たとえば，テロップ（字幕）などであり，タイム・テキスト・フォーマット（timed text format）にもとづいて動画データに付加されている。抽出されたテキスト・データは，第３の中間形式変換装置52に入力する。第３の中間形式変更装置52において，圧縮されているテキスト・データが伸長されてテキスト変換装置53に入力する。
【００３６】
機種情報データベース５には，上述したように，送信対象端末装置に対応して画像データおよび音声データについての機種情報に加えて，送信対象端末装置における文字列の表示に適したテキスト・データの情報（たとえば，テキスト符号化方式，テキスト・ビット・レート，テキスト表示可能領域など）が記憶されている。機種情報データベース５に記憶されているテキスト・データの情報がテキスト変換装置53に与えられて，複数の送信対象端末装置における文字列の表示に適したテキスト・データが生成される。生成されたテキスト・データは，テキスト・データベース54に与えられ，記録される。また，送信対象端末装置に適したテキスト・データの種類を示すデータも画像データ，音声データと同様に選択情報データベース６に与えられ，記録される。
【００３７】
図５は，図３に対応するもので動画送信装置の電気的構成を示すブロック図である。図５においても図３に示すものと同一物については同一符号を付して説明を省略する。
【００３８】
テキスト・データベース54には，上述のように複数の送信対象端末装置における文字列の表示に適したテキスト・データが格納されている。機種特定装置21によって送信要求携帯電話40の機種が特定されると，その特定された機種における文字列の表示に適したテキスト・データを特定するための選択情報が選択情報データベース６から読み取られる。読み取られた選択情報にもとづいて，送信要求携帯電話40における文字列の表示にて記したテキスト・データがテキスト読取装置34によってテキスト・データベース54から読み取られる。
【００３９】
読み取られたテキスト・データ，画像データおよび音声データは，動画生成装置33に与えられ，テキスト・データが付加された音声付き動画データが生成される。生成された音声付き動画データが送信要求携帯電話40に送信されることとなる。
【００４０】
図６は，他の実施例を示すもので動画送信装置の電気的構成を示すブロック図である。図６において図５に示すものと同一物については同一符号を付して説明を省略する。
【００４１】
この実施例においては，上述のようにして生成された音声付き動画データのデータ量が，送信要求携帯電話40が受信できるデータ量より大きい場合にも要求した音声動画データを送信要求携帯電話40が受信できるようにするものである。この場合，機種情報データベース５には，送信対象端末装置が受信できるデータ量，再生時間も記録されているのはいうまでもない。
【００４２】
テキスト読取装置34によって読み取られたテキスト・データ，画像読取装置31によって読み取られた画像データおよび音声読取装置32によって読み取られた音声データは，テキスト分割装置61，画像分割装置62および音声分割装置63にそれぞれ入力する。こらのテキスト分割装置61，画像分割装置62および音声分割装置63には，機種情報データベース５に格納されている送信要求携帯電話40が受信できるデータ量も与えられる。動画生成装置33において生成されるテキスト・データが付加された音声付き動画データのデータ量が，送信要求携帯電話40が受信できるデータ量を超えないように，テキスト読取装置34によって読み取られたテキスト・データ，画像読取装置31によって読み取られた画像データおよび音声読取装置32によって読み取られた音声データが，テキスト分割装置61，画像分割装置62および音声分割装置63において分割される。
【００４３】
テキスト分割装置61，画像分割装置62および音声分割装置63において分割されたテキスト・データ部分，画像データ部分および音声データ部分が動画生成装置33に与えられ，音声付き動画データの一部分が生成される。この音声付き動画データの一部分が送信要求携帯電話40に送信されることとなる。送信された一部分によって表される動画部分の再生が送信要求携帯電話40において終了すると，その続きの送信要求が送信要求携帯電話40から動画送信装置に送信される。すると，続きの音声付き動画データの一部分が動画送信装置から送信要求携帯電話40に送信されることとなる。
【００４４】
テキスト分割装置61，画像分割装置62および音声分割装置63における分割は，音声付き動画データの全体を送信要求携帯電話40の機種情報で規定されるデータ量となるように指定された個数に分割してもよいし，音声付き動画データの先頭部分から送信要求携帯電話40の機種情報で規定されるデータ量となるように指定された個数に分割してもよいし，音声付き動画データの先頭部分でなく所望部分から送信要求携帯電話40の機種情報で規定されるデータ量となるように指定された個数に分割してもよい。送信要求携帯電話40が受信できるデータ量に収まれば，分割されるデータ量，分割個数は自由に設定できる。音声付き動画データを所有し，送信する権利をもつコンテンツ・プロバイダまたは閲覧者が設定してもよい。
【００４５】
さらに，分割して音声付き動画データを送信する場合には，上述のように，分割された各データの部分を用いて多重化して送信後に次の部分へのリンクを含むHTML（HyperText Markup Language）ファイルを送信要求携帯電話40に送信して，次の部分の音声付き動画データ部分を要求に応じて送信するようにしてもよい。また，分割されたそれぞれの音声付き動画データ部分をそれぞれ特定するためのリンクを含むHTMLファイルを送信要求携帯電話40に送信し，送信要求携帯電話40からの要求に応じた音声動画データ部分を送信要求携帯電話40に送信するようにしてもよい。また，閲覧者がタイム・コード等により区間を指定できるHTMLファイルを送信要求携帯電話40に送信し，指定区間の音声付き動画データ部分を生成して送信要求携帯電話40に送信するようにしてもよい。必要な部分のみが多重化処理されるようになる。
【００４６】
上述の実施例においてはハードウエアを用いて構成されているがソフトウエアを用いて実現できるようにしてもよい。
【図面の簡単な説明】
【００４７】
【図１】動画変換装置の電気的構成を示すブロック図である。
【図２】選択情報を示している。
【図３】動画送信装置の電気的構成を示すブロック図である。
【図４】動画変換装置の電気的構成を示すブロック図である。
【図５】動画送信装置の電気的構成を示すブロック図である。
【図６】動画変換装置の電気的構成を示すブロック図である。
【符号の説明】
【００４８】
１  画像抽出装置
３  画像変換装置
４  画像データベース
５  機種情報データベース
６  選択情報データベース
11  音声抽出装置
13  音声変換装置
14  音声データベース
21  機種特定装置
22  データ選択装置
31  画像読取装置
32  音声読取装置
33  動画生成装置
40  送信要求携帯電話
【図１】
2008228121.tif 000003
【図２】
2008228121.tif 000004
【図３】
2008228121.tif 000005
【図４】
2008228121.tif 000006
【図５】
2008228121.tif 000007
【図６】
2008228121.tif 000008